(57)【要約】データフレームはデータシンボルの複数の部分に分割される。複数のチャネル要素（３００）はデータシンボルの前記複数の部分のデータシンボルをそれぞれ復調するために割り当てられる。データシンボルの前記複数の部分の数は低いデータレートの場合よりも高いデータレートにおいてより高い。
2004521537.tif 000002
【特許請求の範囲】
【請求項１】
通信システムにおいて、データフレームを処理するための方法であって、
前記データフレームをデータシンボルの少なくとも第１及び第２の部分に分割し、
データシンボルの前記第１の部分のデータシンボルを復調するために第１のチャネル要素を割り当て、
データシンボルの前記第２の部分のデータシンボルを復調するために第２のチャネル要素を割り当てる
ことを具備する方法。
【請求項２】
前記第１及び第２のチャネル要素によってそれぞれ前記第１及び第２の部分のデータシンボルを復調することをさらに具備する請求項１記載の方法。
【請求項３】
無線周波数受信器フロントエンドを介して前記データフレームを受信し、
少なくとも１つの割り当てられたフィンガのタイミングに従って、前記データフレームにおける少なくとも１つのデータシンボルとの相関をとり、
前記復調のために前記第１及び第２のチャネル要素において前記相関の結果を使用することをさらに具備する請求項２記載の方法。
【請求項４】
前記通信システムにおけるデ・インタリーブ機能に従って前記第１及び第２のチャネル要素からの復調されたデータシンボルを、ＲＡＭに書き込んだり当該ＲＡＭから読み出すことをさらに具備する請求項２記載の方法。
【請求項５】
通信システムにおいてデータフレームを処理するための方法であって、
前記データフレームをデータシンボルの複数の部分に分割し、
データシンボルの前記複数の部分のデータシンボルを復調するために複数のチャネル要素を割り当てること
を具備する方法。
【請求項６】
前記複数の割り当てられたチャネル要素によってそれぞれデータシンボルの前記複数の部分を復調することをさらに具備する請求項５記載の方法。
【請求項７】
無線周波数受信器フロントエンドを介して前記データフレームを受信し、
少なくとも１つの割り当てられたフィンガのタイミングに従って前記データフレームにおける少なくとも１つのデータシンボルの相関をとり、
前記復調のために前記複数のチャネル要素において前記相関の結果を使用することをさらに具備する請求項６記載の方法。
【請求項８】
前記通信システムにおけるデ／インタリーブ機能に従って、前記複数のチャネル要素からの復調されたデータシンボルを、ＲＡＭに書き込んだり当該ＲＡＭから読み出すことをさらに具備する請求項６記載の方法。
【請求項９】
前記データフレームのデータシンボルのデータレートに関連する情報を受信することをさらに具備する請求項５記載の方法。
【請求項１０】
データシンボルの前記複数の部分の数は、前記データフレームのデータシンボルのデータレートに基づく請求項５記載の方法。
【請求項１１】
前記複数のチャネル要素の数は、前記データフレームのデータシンボルのデータレートに基づく請求項５記載の方法。
【請求項１２】
通信システムにおいて、複数のデータフレームを処理するための方法であって、
前記複数のデータフレームの各々をデータシンボルの複数の部分に分割し、
前記複数のデータフレームの各々のデータシンボルの前記複数の部分のデータシンボルをそれぞれ復調するために、複数のチャネル要素を前記複数のデータフレームの各々に割り当てることを具備する方法。
【請求項１３】
各データフレームに割り当てられた前記複数のチャネル要素の数は、前記複数のデータフレームの各々におけるデータシンボルのデータレートに基づく請求項１２に記載の方法。
【請求項１４】
前記複数のデータフレームの各々におけるデータシンボルの前記複数の部分の数は、前記複数のデータフレームの各々におけるデータシンボルのデータレートに基づく請求項１２記載の方法。
【請求項１５】
前記複数のデータフレームの各々のデータシンボルのデータレートに関連する情報を受信することをさらに具備する請求項１２記載の方法。
【請求項１６】
前記複数の割り当てられたチャネル要素によって前記複数のデータフレームの各々のデータシンボルの前記複数の部分の各々におけるデータシンボルを復調することをさらに具備する請求項１２記載の方法。
【請求項１７】
無線周波数フロントエンドを介して前記複数のデータフレームを受信することをさらに具備する請求項１２記載の方法。
【請求項１８】
少なくとも１つのフィンガを前記複数のデータフレームの各々に割り当て、
前記複数のデータフレームの各々に割り当てられた前記少なくとも１つのフィンガのタイミングに従って前記複数のデータフレームの各々における少なくとも１つのデータシンボルとの相関をとり、
前記復調のために前記複数のチャネル要素において前記相関の結果を使用することをさらに具備する請求項１６記載の方法。
【請求項１９】
前記通信システムにおけるデ・インタリーブ機能に従って、前記複数のチャネル要素からの復調されたデータシンボルを、ＲＡＭに書き込んだり当該ＲＡＭから読み出すことをさらに具備する請求項１６記載の方法。
【請求項２０】
通信システムにおいて、データフレームを処理するための装置であって、
前記データフレームをデータシンボルの複数の部分に分割するためのフィンガ資源と、
データシンボルの前記複数の部分のデータシンボルをそれぞれ復調するための複数のチャネル要素と、
を具備する装置。
【請求項２１】
前記データフレームを受信するための無線周波数受信器フロントエンドをさらに具備し、
前記フィンガは、少なくとも１つのタイミング仮説のタイミングに従って、前記データフレームにおける少なくとも１つのデータシンボルとの相関をとるように構成されている請求項２０記載の装置。
【請求項２２】
前記通信システムにおけるデ・インタリーブ機能に従って、前記複数のチャネル要素からの復調されたデータシンボルを書き込んだり読み出したりするためのＲＡＭをさらに具備する請求項２０記載の装置。
【請求項２３】
データシンボルの前記複数の部分の数は、前記データフレームのデータシンボルのデータレートに基づく請求項２０記載の装置。
【請求項２４】
前記複数のチャネル要素の数は、前記データフレームのデータシンボルのデータレートに基づく請求項２０記載の装置。
【請求項２５】
通信システムにおいて、複数のデータフレームを処理するための装置であって、
前記複数のデータフレームの各々をデータシンボルの複数の部分に分割するためのフィンガ資源と、
前記複数のデータフレームの各々のデータシンボルの前記複数の部分のデータシンボルをそれぞれ復調するために、前記複数のデータフレームの各々に割り当てられた複数のチャネル要素と、
を具備する装置。
【請求項２６】
各データフレームに割り当てられた前記複数のチャネル要素の数は、前記複数のデータフレームの各々におけるデータシンボルのデータレートに基づく請求項２５記載の装置。
【請求項２７】
前記複数のデータフレームの各々におけるデータシンボルの前記複数の部分の数は、前記複数のデータフレームの各々におけるデータシンボルのデータレートに基づく請求項２５記載の装置。
【請求項２８】
前記複数のデータフレームを受信するための無線周波数フロントエンドをさらに具備する請求項２５記載の装置。
【請求項２９】
前記通信システムにおけるデ・インタリーブ機能に従って前記複数のチャネル要素からの復調されたデータシンボルを書き込んだり読み出したりするためのＲＡＭをさらに具備する請求項２５記載の装置。
【請求項３０】
通信システムにおいて、データフレームを処理するための装置であって、
前記データフレームをデータシンボルの複数の部分に分割するための手段と、
データシンボルの前記複数の部分のデータシンボルをそれぞれ復調するために複数のチャネル要素を割り当てるための手段と、
を具備する装置。
【請求項３１】
前記複数の割り当てられたチャネル要素によってそれぞれデータシンボルの前記複数の部分を復調するための手段をさらに具備する請求項３０記載の装置。
【請求項３２】
無線周波数受信器フロントエンドを介して前記データフレームを受信するための手段と、
少なくとも１つの割り当てられたフィンガのタイミングに従って前記データフレームにおける少なくとも１つのデータシンボルとの相関をとる手段と、
前記復調のために前記複数のチャネル要素において前記相関の結果を使用するための手段と、
を具備する装置。
【請求項３３】
前記通信システムにおけるデ・インタリーブ機能に従って、前記複数のチャネル要素からの復調されたデータシンボルを、ＲＡＭに書き込んだり当該ＲＡＭから読み出したりするための手段をさらに具備する請求項３１記載の装置。
【請求項３４】
データシンボルの前記複数の部分の数は、前記データフレームのデータシンボルのデータレートに基づく請求項３０記載の装置。
【請求項３５】
前記複数のチャネル要素の数は、前記データフレームのデータシンボルのデータレートに基づく請求項３０記載の装置。
【請求項３６】
通信システムにおいて、複数のデータフレームを処理するための装置であって、
前記複数のデータフレームの各々をデータシンボルの複数の部分に分割するための手段と、
前記複数のデータフレームの各々のデータシンボルの前記複数の部分のデータシンボルをそれぞれ復調するために複数のチャネル要素を前記複数のデータフレームの各々に割り当てるための手段と、
を具備する装置。
【請求項３７】
各データフレームに割り当てられた前記複数のチャネル要素の数は、前記複数のデータフレームの各々におけるデータシンボルのデータレートに基づく請求項３６記載の装置。
【請求項３８】
前記複数のデータフレームの各々におけるデータシンボルの前記複数の部分の数は、前記複数のデータフレームの各々におけるデータシンボルのデータレートに基づく請求項３６記載の装置。
【請求項３９】
前記複数のデータフレームの各々のデータシンボルのデータレートに関連する情報を受信するための手段をさらに具備する請求項３６記載の装置。
【請求項４０】
前記複数の割り当てられたチャネル要素によって前記複数のデータフレームの各々のデータシンボルの前記複数の部分のそれぞれにおけるデータシンボルを復調するための手段をさらに具備する請求項３６記載の装置。
【請求項４１】
無線周波数フロントエンドを介して前記複数のデータフレームを受信するための手段を更に具備する請求項３６記載の装置。
【請求項４２】
少なくとも１つのフィンガを前記複数のデータフレームの各々に割り当てるための手段と、
前記複数のデータフレームの前記データフレームの各々に割り当てられた前記少なくとも１つのフィンガのタイミングに従って、前記複数のデータフレームの各々における少なくとも１つのデータシンボルとの相関をとるための手段と、
前記復調のために前記複数のチャネル要素において前記相関の結果を使用するための手段と、
をさらに具備する請求項４０記載の装置。
【請求項４３】
前記通信システムにおけるデ・インタリーブ機能に従って、前記複数のチャネル要素からの復調されたデータシンボルを、ＲＡＭに書き込んだり当該ＲＡＭから読み出したりするための手段をさらに具備する請求項４０記載の装置。
【発明の詳細な説明】
【技術分野】
【０００１】
本発明は、開示された実施形態は通信の分野に関連し、より詳細には、符号分割多元接続（ＣＤＭＡ）技術に関するものである。
【背景技術】
【０００２】
ＣＤＭＡ技術に従ったワイヤレス通信のためのシステムが開示され、遠隔通信工業協会（ＴＩＡ）によって発表された種々の標準に記載されている。そのような標準は、通常、ＴＩＡ／ＥＩＡ／ＩＳ−２０００及びＴＩＡ／ＥＩＡ／９５Ａ／Ｂとして知られており、広帯域スペクトラム拡散セルラシステムのための移動局−基地局両立性標準と名づけられている。ここでは引用するだけにとどめ、その内容は本明細書に組み込まれているものとする。前記標準は過去数年の間にわたって発展してきた。ＣＤＭＡシステムの初期のバージョンでは、固定長の時間フレーム及び複数のデータレートでの基地局と移動局間の通信を可能にする。ＩＳ−２０００標準として概して知られるより最近のバージョンでは、異なるサイズの時間フレーム及び最初のバージョンよりも高いデータレートでの通信を可能にする。
【０００３】
移動局と基地局間での通信を維持するために、基地局から移動局への順方向リンク及び移動局から基地局への逆方向リンクが確立される。順方向リンク通信の受信端で、受信器は異なるデータレートでデータフレームを受信する。受信器は受信したデータフレームを処理するための限られた資源を有する。データフレームを処理するために割り当てられたチャネル要素として知られる通信資源は、異なるマルチパス信号で相関をとるための１つまたはそれ以上のフィンガを含む。チャネル要素は各受信データフレームにおけるデータシンボルを復調する。各割り当てられたフィンガはタイミング仮説に従ってシンボルエネルギを提供する。各シンボルの受信エネルギは加算されてデータシンボルを出力する。データフレームにおけるデータシンボルの数はフレームのデータレートに依存する。データフレームは低いデータレートよりも高いデータレートにより多くのデータシンボルを含む。したがって、データフレームを処理する場合、低いデータレートよりも高いデータレートでより多くの資源を必要とする。
【発明の開示】
【発明が解決しようとする課題】
【０００４】
基地局において、異なる移動局から受信したデータフレームは異なるデータレートとなっている。ＩＳ−２０００標準に従って動作するシステムにおいて、限られた資源をもつ基地局における受信器は、基地局との逆方向リンク通信における多数の移動局に対して広範囲のデータレートでデータシンボルを処理しなければならない。したがって、ＩＳ２０００標準にしたがって、高いデータレートでのデータフレームが受信されたならば、低いデータレートでデータフレームを処理するのに限られた数の通信資源が許される。
【０００５】
このようにして限られた数の資源をもつ受信器において、資源の効率的な使用のための方法及び装置に対するニーズが存在する。
【課題を解決するための手段】
【０００６】
本発明によれば、概して、通信システムにおいて、複数のデータフレームを処理するための通信資源の効率的な使用のための方法及び装置が提供される。複数のデータフレームのおのおのはデータシンボルの複数の部分に分割される。複数のチャネル要素は前記複数のデータフレームの各々に割り当てられる。各割り当てられたチャネル要素はデータシンボルの複数の部分のデータシンボルの一部のデータシンボルを復調する。一実施形態において、各データフレームに割り当てられた複数のチャネル要素の数は、前記複数のデータフレームの各々における前記データシンボルのデータレートに基づく。一実施形態において，高いデータレートをもつデータフレームは、低いデータレートをもつデータフレームよりも高い数のチャネル要素が割り当てられる。さらに、一実施形態において、前記複数のデータフレームの各々におけるデータシンボルの複数の部分の数は、前記複数のデータフレームの各々におけるデータシンボルのデータレートに基づいている。同様にして、高いデータレートを持つデータフレームは、低いデータレートを持つデータフレームよりも高い数の部分に分割される。
【発明の効果】
【０００７】
本発明によれば、概して、通信システムにおいて、複数のデータフレームを処理するための通信資源の効率的な使用が実現される。
【発明を実施するための最良の形態】
【０００８】
概して、新規で改善された方法及び関連する装置は符号分割多元接続通信システムにおける通信資源の効率的な使用のために提供される。ここに開示された例示的な実施形態はデジタル通信システムの文脈において記述される。この文脈内での使用が好ましいが、本発明の異なる実施形態が異なる環境または構成において組み込まれる。概してここに記載された種々のシステムはソフトウェア制御によるプロセッサ、集積回路あるいは離散ロジックを使用して形成される。データ、指令、コマンド、情報、信号、シンボル及びアプリケーション全体で参照されるチップは好ましくは電圧、電流、電磁波、磁界または磁気粒子、光学界（optical field）または光学粒子あるいはそれらの組み合わせによって表わされる。さらに、各ブロック図内のブロックはハードウェアあるいは方法ステップを表わす。
【０００９】
一実施形態において、通信システムにおいて、データフレームを処理するための通信資源の効率的な使用のために方法及び装置が提供される。方法及び関連する装置は、データフレームをデータシンボルの少なくとも第１及び第２の部分に分割することを含む。各データフレームはデータシンボルの固定数を含む。各部分はデータシンボルの固定数の多数のデータシンボルを含む。データフレームが第１及び第２の部分に分割されるときに、前記第１の部分はデータシンボルの固定数の数を含み、前記第２の部分はデータシンボルの残りの数を含む。従って、第１及び第２の部分はデータフレームにおける全てのデータシンボルを含む。第１のチャネル要素は、データシンボルの第１の部分のデータシンボルを復調するべく割り当てられており、第２のチャネル要素はデータシンボルの第２の部分のデータシンボルを復調するために割り当てられる。データシンボルの第１及び第２の部分はそれぞれ第１及び第２のチャネル要素によって復調される。
【００１０】
データフレームは概して既知の無線周波数受信器フロントエンドを介して受信される。受信無線周波数信号はデータフレームを搬送する。無線周波数フロントエンドは受信無線周波数信号をベースバンド周波数または処理のための適切な周波数に変換する。ベースバンド周波数信号は、データフレームにおける少なくとも１つのデータシンボルのための、少なくとも１つの割り当てられたフィンガのタイミングに従って相関処理において使用される。例えばシンボルエネルギ値などの相関の結果は復調処理のために第１及び第２のチャネル要素において使用される。特別な実施形態において、復調の後に、第１及び第２のチャネル要素からの復調されたデータシンボルは、通信システムにおけるデ・インタリーブ機能に従ってＲＡＭに書き込まれ、続いてＲＡＭから読み出される。したがって、データフレームをデータシンボルの少なくとも第１及び第２部に分割することは第１及び第２の部分に割り当てられたチャネル要素がデータフレーム内のデータシンボルをより効率的に復調することを可能にする。
【００１１】
図１において、データフレーム１００が示されている。データフレーム１００はデータシンボルの“ｎ”番号として識別される、任意の数のデータシンボルを含む。フレーム１００におけるデータシンボルの数は、ＩＳ−２０００標準に従った実施形態における種々の増加での５７６から１２２８８データシンボルに渡る。５７６データシンボルをもつフレームのデータレートは、時間フレームが共通の固定された期間をもつことを考慮して、１２２８８データシンボルをもつデータフレームよりもはるかに低い。フレーム１００は第１の部分１０１及び第２の部分１０２に分割される。第１及び第２の部分１０１及び１０２におけるデータシンボルの数は等しい。各部分１０１，１０２におけるデータシンボルは、フレーム１００における連続的データシンボルに対応する。例えば、第１の部分１０１におけるデータシンボルは、フレーム１００におけるデータシンボルの第１の半分を含む。第２の部分１０２はフレーム１００におけるデータシンボルの第２の部分を含む。一方、第１の部分１０１におけるデータシンボルはフレーム１００における奇数のデータシンボルであり、偶数のデータシンボルは第２の部分１０２内に含まれる。
【００１２】
それが第１の部分１０１に属するか第２の部分１０２に属するかに関して各データシンボルをタグ付けすることによって分割が発生する。タグ付けは時間計数方法を介してフレーム１００の開始から各データシンボルを追跡することによって達成される。各データシンボルは多数のチップとして表わされる。例えば、８つのチップは所定のデータレートで１つのデータシンボルを表わす。したがって、受信器が各フレームにおけるチップを計数しているときには、受信器は、フレーム１００の開始から計数されたチップの数によって各データシンボルを追跡する。
【００１３】
図２に関連して、本実施形態に従って構成される、受信器２００のブロック図が示されている。受信器２００は、異なる移動局からの逆方向リンク信号を受信するために（図示せぬ）基地局において使用される。受信器２００は複数の移動局からの信号を同時に受信する。しかしながら、ここでは、１つの移動局２０１のみが示されている。受信された信号はアンテナ２１０及びフロントエンド２０２を通過する。フロントエンド２０２は、無線周波数での受信信号をベースバンド周波数または処理のための他の適切な周波数に変換するための一般的に知られたフロントエンド受信器である。変換された受信信号はフィンガ資源ブロック２０３に渡される。フィンガ資源ブロック２０３は少なくとも１つのタイミング仮説に従って受信信号との相関がとられる。相関処理が十分な信号エネルギを提供するならば、結果は合成要素（ＣＥ）２０４に渡される。通常はいくつかの異なるタイミング仮設が相関処理において企てられる。しきい値よりも上のシンボルエネルギを生成する選択されたフィンガは当該処理において使用される。１つ以上のフィンガが受信信号に割り当てられたならば、すべての割り当てられたフィンガの結果はＣＥ２０４において加算される。
【００１４】
合成要素２０４はメモリユニット（図示せず）を含み、合成処理の結果が記憶される。データシンボルの第１の部分１０１のデータシンボルの結果は例えばＣＥ２０４の位置ＣＥ１に記憶される。データシンボルの第２の部分のデータシンボルの結果は、例えばＣＥ２０４のＣＥ２に記憶される。計数及びタグ付け方法の組み合わせは、説明を簡単にするために図示しないが、データフレームの各シンボルの位置を追跡する。フィンガ資源２０３により生成された各シンボルは、データシンボルが第１の部分１０１に属するか第２の部分１０２に属するかによって対応する合成要素位置に渡される。
【００１５】
データフレームに関連した全てのデータシンボルが対応する合成要素に記憶された後で、データシンボルはデ・インタリーバＲＡＭ（ＤＩＲＡＭ）２０５に書き込まれる。データシンボルはＤＩＲＡＭ２０５から読み出されて復号動作のために復号器（図示せず）に供給される。ＤＩＲＡＭ２０５における読み出し及び書き込み動作は、例えばＩＳ−２０００標準などの標準によって定義されるようなデ・インタリーブ機能に従って行われる。
【００１６】
図３において、フィンガ資源２０３及び合成要素２０４の組み合わせ動作は実施形態に従ったチャネル要素３００によって表わされる。ＣＤＭＡ通信技術に従って、各受信器信号は送信源でＰＮ符号に従って拡散される。さらに、受信信号における各チャネルは、送信源でのチャネルにおける情報をウォルシュカバーするのに使用されるウォルシュ符号が割り当てられる。したがって、受信信号は、ブロック３０１におけるＰＮ逆拡散動作及びウォルシュデカバー動作を通過する。ＰＮ逆拡散動作が最初に起こる。逆拡散動作の結果はウォルシュでカバー動作を通過する。ブロック３０１からの結果は通常チップレベルで生成される。いくつかのチップは１つのデータシンボルを形成するためにアキュムレータ３０２において蓄積される。蓄積されたチップはマルチプライヤブロック３０３に渡される。
【００１７】
各送信源（図示せず）はパイロットチャネルを送信する。パイロットチャネルの動作及び使用は当業者によって良く知られている。受信器２００はパイロットチャネルの推定を生成するためにパイロットチャネルを処理する。説明を簡単にするためにパイロットチャネル処理要素については図示しない。マルチプライヤブロック３０３は、ドット積演算として概して知られる演算により蓄積されたチップとパイロットチャネル推定とを乗算する。結果は合成要素３０４に渡される。
【００１８】
ブロック３０１は逆拡散動作において使用されるＰＮ系列のいくつかの異なるタイミングを使用する。各タイミングは異なる相関エネルギを生成する。相関エネルギはしきい値よりも上であり、次に結果が使用される。一方、異なるタイミングが企てられる。しばしば、複数のタイミングはしきい値よりも上の信号エネルギを生成する。タイミングが選択されたならば、対応するタイミングをもつフィンガが受信信号を逆拡散するために割り当てられる。これによっていくつかのタイミングが割り当てられる。各フィンガからの結果に対して、ブロック３０２における蓄積処理に類似した蓄積処理と、ブロック３０３における動作に類似した対応するパイロット推定によって規定されるようなパイロット推定補正とが施される。各フィンガからのデータシンボルは次に図２に関して記載された合成動作を行うために合成要素３０４に渡される。
【００１９】
フィンガの処理時間は、ブロック３０１，３０２及び３０３が選択されたタイミングのすべてに対してリアルタイムですべての処理を行うのに使用される。例えば、ブロック３０１内の逆拡散処理において、データシンボルのための逆拡散動作は２つのフィンガのタイミング間の相異よりも少ない時間で済む。従って、そのタイミングに従った１つのフィンガによる処理は、他のフィンガのタイミングに従う同じデータシンボルを処理するために予定時間の前に終了する。従って、ブロック３０１，３０２及び３０３は利用可能なハードウェアの時分割多重を介して再使用される。
【００２０】
合成要素３０４は図２に示すようなＣＥ２０４の合成要素（ＣＥ１−ＣＥｎ）の１つである。データシンボルの一部に属するとして識別されたデータシンボルは対応する合成要素内に記憶される。図４において、タイミング図４００が種々の実施形態の記述を支援するために示される。“ｆｉ”として識別される各フィンガは多数のチップを生成してＣＥ２０４の入力に各データシンボルを生成する。例えば８つのチップは１つのデータシンボルと等しい。３つのフィンガがデータシンボルを搬送するチャネルに割り当てられたならば、３つのセット４０１−４０３のチップが生成される。各セットは１つのデータシンボルを表わす。セット４０１−４０３は“ＣＥｎ”によって識別される共通の合成要素に渡される。ここで“ｎ”は任意の整数である。同様にして、セット４０４及び４０５は共通の合成器要素に渡される。セット４０１−４０３におけるチップにより表わされるデータシンボルと、セット４０４−４０５により表わされるデータシンボルとがデータフレームにおけるデータシンボルの同じ部分に属するならば、すべてのセット４０１−４０５は同じ合成要素に渡される。さもなければ、合成要素は異なるものとなる。例えば、セット４０１−４０３に対するＣＥｎはＣＥ１であり、セット４０４−４０５に対するＣＥｎはＣＥ２である。各データシンボルは関連するチップを介してデータシンボルの一つの部分に属するように識別される。セット４０６−４１４はそれらが表わしているデータシンボルの身元に基づいて対応する合成要素に渡される。従って、受信器２００内の資源は、データシンボルの各部分のデータシンボルを共通の合成要素に渡すことによって効率良く使用される。
【００２１】
通信システムにおいて、データフレームに対する通信資源の効率の良い使用のために種々の実施形態に従った方法及び装置が提供される。データフレームはデータシンボルの複数の部分に分割される。複数のチャネル要素はデータシンボルの複数の部分のデータシンボルをそれぞれ復調するために割り当てられる。データシンボルの複数の部分の数は、低いデータレートの場合よりも高いデータレートの場合に大きくなる。
【００２２】
データフレームにおけるデータシンボルの数は低いデータレートよりも高いデータレートで高くなる。例えば、ＩＳ２０００標準に従って、データフレームにおけるデータシンボルの数は５７６データシンボルから１２２８８データシンボルの範囲である。５７６データシンボルをもつデータフレームに対するデータレートは秒当り２８８００シンボルに等しく、１２２８８データシンボルをもつデータフレームに対するデータレートは秒当り６１４４００シンボルに等しい。秒当り６１４４００シンボルのデータフレームは８つの部分のデータシンボルに分割される。その結果、８つのチャネル要素がデータシンボルの８つの部分のデータシンボルをそれぞれ復調するために割り当てられる。低いデータレートでのデータフレームに対して、例えば秒当り１５３６００シンボルで、たぶん３０７２データシンボルで、データフレームは２つの部分のデータシンボルに分割され、各部分におけるデータシンボルをそれぞれ復調するために２つのチャネル要素が同様に２つの部分に割り当てられる。たぶん６１４４データシンボルをもつ例えば秒当り３０７２００シンボルに対して、中間レベルのデータレートでのデータフレームならば、データフレームは４つの部分のデータシンボルに分割され、各部におけるデータシンボルをそれぞれ復調するために、４つのチャネル要素が４つの部分にそれぞれ割り当てられる。複数の割り当てられたチャネル要素はデータシンボルの複数の部分におけるデータシンボルをそれぞれ復調する。
【００２３】
通信システムにおける受信器及び送信源間の通信は、いくつかの通信チャネルを介して行なわれる。関連する通信チャネルに関して受信器はデータフレームのデータシンボルのデータレートに関連する情報を受信する。データフレームのデータレートに基づいてデータシンボルの複数の部分の数を決定するためにデータレート情報が使用される。一方、受信器は例えばデータフレームのデータレートを推定することによって各データフレームのデータレートを決定する。データレートの推定が不正確であることが判明した場合には、新たな推定が使用される。データレートを推定するための処理が反復される。さらに、受信器は特定のデータレートでデータフレームを受信することを要求する。送信源は要求に従いながら要求されたデータレートでデータフレームを送信する。従って、受信器は受信中のデータフレームのデータレートを前もって知る。データシンボルの複数の部分の数を決定するのにデータレート要求情報が使用される。
【００２４】
データフレームは良く知られている無線周波数受信器フロントエンドを介して受信される。データフレームにおける少なくとも１つのデータシンボルは、図３に示され記載されたような、少なくとも１つの割り当てられたフィンガのタイミングに従って相関処理を介して通過する。相関の結果は合成処理のためにＣＥ３０４に渡される。データシンボルの各部におけるデータシンボルは共通の合成要素に渡される。合成要素３０４は図２に示されるようなＣＥ２０４の合成要素（ＣＥ１−ＣＥｎ）の１つである。データシンボルの一部に属するように識別されたデータシンボルは対応する合成要素内に記憶される。例えば、データの各フレームが４つの部分に分割される場合には、ＣＥ１，ＣＥ２，ＣＥ３，ＣＥ４が４つの部分に対してそれぞれ使用される。
【００２５】
ＣＥ２０４の入力における、各データシンボルに対するチップの数は、１つのデータシンボルと等しい。例えば、秒当り２８８００シンボルの基本的なデータレートに対して、１６のチップの組が１つのデータシンボルに等しい。例えば秒当り１５３６００シンボルの高いデータレートでは、８つのチップは１つのデータシンボルに等しい。例えば秒当り３０７２００シンボルの高いデータレートでは、各データシンボルは４つのチップに等しい。さらに、例えば秒当り６１４４００シンボルの高いデータレートでは、各データシンボルは２つのチップに等しい。
【００２６】
データフレームのデータシンボルにいくつかのフィンガが割り当てられるならば、各フィンガからの結果は共通の合成要素に渡される。３つのフィンガがデータシンボルを搬送するチャネルに割り当てられたならば、３セット４０１−４０３のシンボルが生成される。各セットは、それが、一例では秒当りそれぞれ２８８００，１５３６００，３０７２００あるいは６１４４００シンボルのどのデータフレームに属するかによって、１６，８，４、あるいは２チップを備える。各セットは“ＣＥｎ”によって識別される共通の合成器要素に渡される。ここで“ｎ”は任意の整数である。一組のチップによって表わされるデータシンボルと他の組のセットによって表わされるデータシンボルがデータフレームのデータシンボルの同じ部分に属するならば、両セットにおけるすべてのチップは同じ合成要素に渡される。さもなければ、合成要素は異なるものとなる。
【００２７】
例えば、セット４０１−４０３に対するＣＥｎはＣＥ１であり、セット４０４−４０５に対するＣＥｎはＣＥ２であり、セット４０６−４０９に対するＣＥｎはＣＥ３であり、セット４１０−４１１に対するＣＥｎはＣＥ４であり、セット４１２−４１４に対するＣＥｎはＣＥ５である。合成要素ＣＥ２及びＣＥ４は共通データフレームのデータシンボルの２つの部分に対応する。合成要素ＣＥ１及びＣＥ５は他の共通データフレームのデータシンボルの２つの部分に対応する。各データシンボルは関連するチップを介してデータシンボルの一つの部分に属すると識別される。チップセットはそれらが表わしているデータシンボルの身元に基づいて対応する合成要素に渡される。したがって、受信器２００における資源はデータシンボルの各部のデータシンボルを共通の合成要素に渡すことによって効率良く使用される。合成要素はフィンガからの合成されたデータシンボルが記憶されるメモリ機能を含む。メモリへの書き込み及びそれに続いてデータシンボルを読み出す処理は通信システムにおけるデ・インタリーブ機能に従って実行される。
【００２８】
種々の実施形態によれば、データフレームのデータレートに基づいてデータシンボルの複数の部分に分割することによって、各部分に割り当てられたチャネル要素はデータフレームにおけるデータシンボルをより効率的に復調する。より詳細には、いくつかのユーザからのいくつかのデータフレームが受信され、少なくとも１つの受信データフレームにおけるデータシンボルのデータレートが通信システムにおけるありえるデータレートの高い端部にあるならば、高い及び低いデータレートのすべての受信データフレームを復調するために限られた数のチャネル要素が使用される。例えば、高いデータレートでのデータフレームは低いデータレートでのデータフレームよりもより多くのチャネル要素が必要である。データフレームの高いデータレートを処理するために多数のチャネル要素を予め固定することによって、低いデータレートをもつデータフレームを処理するためにより少ないチャネル要素が残存する。データレートに基づいて各データフレームを複数のデータ部分に分割することによって、低い及び高いデータレートをもつデータフレームが多くの場合において処理されるように保証される。同様にして、類似のデータレートをもついくつかのデータフレームが受信されるとき、データフレームに基づいてデータの各フレームをデータの複数の部分に分割することによって、類似のデータレートをもつデータフレームは多くの場合において処理されるように保証される。
【００２９】
概して、種々の実施形態に従って、通信システムにおいて、複数のデータフレームを処理するための通信資源の効率的な使用のための方法及び装置が提供される。複数のデータフレームの各々は、データシンボルの複数の部分に分割される。複数のチャネル要素は複数のデータフレームの各々に割り当てられる。各割り当てられたチャネル要素はデータシンボルの一部のデータシンボルを復調する。各データフレームに割り当てられた複数のチャネル要素の数は、複数のデータフレームの各々におけるデータシンボルのデータレートに基づく。高いデータレートをもつデータフレームは、低いデータレートをもつデータフレームよりも高い数のチャネル要素が割り当てられている。
【００３０】
さらに、複数のデータフレームの各々におけるデータシンボルの複数の部分の数は、複数のデータフレームの各々におけるデータシンボルのデータレートに基づく。同様にして、高いデータレートをもつデータフレームは、低いデータレートをもつデータフレームよりも高い数の部分に分割される。データシンボルの部分の数及び各データフレームに割り当てられたチャネル要素の数は等しい。割り当てられたチャネル要素の数及び分割処理に対するデータシンボルの部分の数を決定するために、複数のデータフレームの各々のデータシンボルのデータレートに関連する情報を受信することが必要である。各割り当てられたチャネル要素はデータシンボルの対応する部分のデータシンボルを復調する。
【００３１】
複数のデータフレームは良く知られた無線周波数フロントエンドを介して受信される。少なくとも１つのフィンガは複数のデータフレームの各データフレームに割り当てられている。複数のデータフレームの各々における少なくとも１つのデータシンボルは、複数のデータフレームの各データフレームに割り当てられた１つまたはそれ以上のフィンガに従って相関処理を通過する。いくつかのマルチパス信号が検出されたときに複数のフィンガをデータフレームに割り当てることが必要になる。各フィンガはマルチパス信号に割り当てられる。相関の結果は復調処理のために複数のチャネル要素において使用される。複数のチャネル要素からの復調されたデータシンボルは通信システムにおけるデ・インタリーブ機能に従ってＲＡＭに書き込まれるかあるいは続いて当該ＲＡＭから読み出される。従って、利用可能なチャネル要素は異なるデータレートで効率良くすべてのデータフレームに対して使用される。
【００３２】
より詳細には、データフレームにおけるデータシンボルのデータレートが通信システムにおける可能なデータレートのハイエンドにあるときに、データフレームを２つまたはそれ以上の部分のデータシンボルに分割することは、データシンボルの部分に割り当てられたチャネル要素が、データフレームのデータシンボルがデータフレームをデータシンボルの部分に分割することなしに１つまたはそれ以上のチャネル要素に割り当てられるならば、より少ない時間でデータフレームにおけるデータシンボルを復調することを可能にする。
【００３３】
好ましい実施形態のこれまでの説明は、当業者が本発明を製造又は使用することを可能にするべく提供された。これらの実施形態に対する種々の変形例は当業者にとって容易に着想することができ、ここに規定された一般的な原理は、発明能力を使用することなしに他の実施形態に適用される。すなわち、本発明はここに開示された実施形態に限定されることはなく、ここに開示された原理と新規な特徴に適合する最も広い権利範囲が与えられるべきである。
【産業上の利用可能性】
【００３４】
複数のデータフレームを処理するための通信資源の効率的な使用が通信システムにおいて実現可能になる。
【図面の簡単な説明】
【００３５】
【図１】データシンボルの“ｎ”番号として識別されるデータシンボルの任意の数を含むデータフレームを示す図である。
【図２】信号を受信して処理するための受信器のブロック図である。
【図３】チャネル要素のブロック図である。
【図４】多数のデータシンボルに対して生成されたチップのタイミング図である。
【符号の説明】
【００３６】
１００  データフレーム
１０１  第１の部分
１０２  第２の部分
２００  受信器
２０１  移動局
２０２  フロントエンド
２０３  フィンガ資源
２０４  合成要素（ＣＥ）
２０５  ＤＩＲＡＭ
【図１】
2004521537.tif 000003
【図２】
2004521537.tif 000004
【図３】
2004521537.tif 000005
【図４】
2004521537.tif 000006
【国際公開パンフレット】
2004521537.tif 000007
2004521537.tif 000008
2004521537.tif 000009
2004521537.tif 000010
2004521537.tif 000011
2004521537.tif 000012
2004521537.tif 000013
2004521537.tif 000014
2004521537.tif 000015
2004521537.tif 000016
2004521537.tif 000017
2004521537.tif 000018
2004521537.tif 000019
2004521537.tif 000020
2004521537.tif 000021
2004521537.tif 000022
2004521537.tif 000023
2004521537.tif 000024
2004521537.tif 000025
2004521537.tif 000026
2004521537.tif 000027
2004521537.tif 000028
2004521537.tif 000029
2004521537.tif 000030
2004521537.tif 000031
2004521537.tif 000032
2004521537.tif 000033
2004521537.tif 000034
2004521537.tif 000035
2004521537.tif 000036
【国際公開パンフレット（コレクトバージョン）】
2004521537.tif 000037
【国際調査報告】
2004521537.tif 000038
2004521537.tif 000039
2004521537.tif 000040